(57)【特許請求の範囲】
【請求項１】
複数の分割された空間を連通部で接続して構成する蓄熱槽において、隣接した空間のいずれか一方側の空間の上下位置に、水の吹出し、及び吸込み方向が横方向のディフューザーを配置すると共に、前記隣接した空間の他方側の空間との隔壁には、夫々のディフューザーにおける水の吹出し、及び吸込み方向の延長線上に対応した上下位置に連通部を構成したことを特徴とする低水位温度成層型蓄熱槽。
【請求項２】
ディフューザーは、水の吹出し、及び吸込み方向を複数方向に構成し、夫々の方向に隣接する空間との隔壁に連通部を構成したことを特徴とする請求項１に記載の低水位温度成層型蓄熱槽。
【請求項３】
ディフューザーを配置した空間から離れる方向に複数の他の空間を順次連接して構成し、他の空間の間の隔壁に、ディフューザーにおける水の吹出し、及び吸込み方向の延長線上に対応した上下位置に連通部を構成したことを特徴とする請求項１又は２に記載の低水位温度成層型蓄熱槽。
【発明の詳細な説明】
【０００１】
【発明の属する技術分野】
本発明は、低水位の温度成層型蓄熱槽に関するものである。
【０００２】
【従来の技術】
蓄熱槽は、一般的に建物地下のピット内に設置され、地中梁に囲まれたスパン毎に分割された空間に例えば水深１．５ｍの水を貯めて蓄熱に利用するものであり、混合型と温度成層型とがある。
【０００３】
混合型の蓄熱槽の例としては、例えば図３、図４に示されるように、分割されている各空間ａを連通部ｂで接続して連結型混合水槽として構成することが多い。
【０００４】
一方、一般的な温度成層型の蓄熱槽は、水深が５ｍ以上で、分割された複数の空間から構成するのではなく、単一の空間により単独槽として構成されることが多い。
【０００５】
また温度成層型の蓄熱槽の他の例として、例えば図５、図６に示されるように、分割された複数の水深の浅い空間ｃ毎に、ディフューザーｄ，ｅと称される水の分配器を上下に配置したものがあり、これらのディフューザーｄ，ｅは、一方が水を横方向に吹出し、他方が水を吸込むようにして夫々の空間ｃ内の水に温度成層を形成するものである。尚、これらの複数の空間は、隣接空間の隔壁ｆである梁の中央に形成された人通孔ｇと下部の水抜き口（図示省略）により連結されている。
【０００６】
【発明が解決しようとする課題】
以上のような従来の蓄熱槽では以下に示すような課題がある。
ａ．連結型混合水槽では、各空間が混合型水槽として動作するため、蓄熱槽効率は６５％程度と低く、多量の熱を蓄えるには不利である。
ｂ．これに対して、温度成層型の蓄熱槽では８０％程度の蓄熱槽効率を確保することができるが、単独槽として構成される温度成層型の蓄熱槽では、躯体を特殊な構造としなければならず、コストが増大してしまう。
ｃ．一方、水深の浅い空間に温度成層が形成されるようにディフューザーを配置した温度成層型の蓄熱槽においても、８０％程度の蓄熱槽効率を確保することができるが、各空間毎にディフューザーが必要であるため、コスト的に高くなってしまう。
そこで、本発明はこのような課題を解決することを目的とするものである。
【０００７】
【課題を解決するための手段】
上述した課題を解決するために本発明では、複数の分割された空間を連通部で接続して構成する蓄熱槽において、隣接した空間のいずれか一方側の空間の上下位置に、水の吹出し、及び吸込み方向が横方向のディフューザーを配置すると共に、前記隣接した空間の他方側の空間との隔壁には、夫々のディフューザーにおける水の吹出し、及び吸込み方向の延長線上に対応した上下位置に連通部を構成した低水位温度成層型蓄熱槽を提案する。
【０００８】
また本発明では、上記の構成において、ディフューザーは、水の吹出し、及び吸込み方向を複数方向に構成し、夫々の方向に隣接する空間との隔壁に連通部を構成した低水位温度成層型蓄熱槽を提案する。
【０００９】
そして、本発明では、以上の構成において、ディフューザーを配置した空間から離れる方向に複数の他の空間を順次連接して構成し、他の空間の間の隔壁に、ディフューザーにおける水の吹出し、及び吸込み方向の延長線上に対応した上下位置に連通部を構成した低水位温度成層型蓄熱槽を提案する。
【００１０】
本発明において、例えば冷熱を蓄熱する際には、冷却器により冷却された水を下側のディフューザーから空間内の下部に横方向に吹出すと共に、上側のディフューザーから空間内の水を横方向から吸い込んで冷却器に還流させることにより、ディフューザーを配置している空間内に水の密度差を利用した温度成層が良好に形成される。
【００１１】
この際、下側のディフューザーから横方向に吹き出された水は隔壁の下側に構成した連通部を通って他の空間内にも流入すると共に、他の空間内の上部の水が上側に構成した連通部を通ってディフューザーを配置した空間内に流入するため、他の空間内においても温度成層が良好に形成される。従って、他の空間内にはディフューザーを設置する必要がなくなる。
【００１２】
蓄熱槽に蓄熱された冷熱を利用する場合には、上記と逆に、空間内の下層の水を下側のディフューザーから吸い込んで冷熱の利用に供すると共に、冷熱の利用に供された水を上側のディフューザーから空間内に吹き出すことにより、ディフューザーを配置している空間と、それに隣接している他の空間に、上記と逆の水の流れが形成され、温度成層を崩さずに夫々の空間内の冷水を利用することができる。
【００１３】
蓄熱槽に温熱を蓄熱して利用する場合には、上記と逆の水の流れにより温度成層の形成と、その利用を計ることができる。
【００１４】
空間に配置するディフューザーは、水の吹出し、及び吸込み方向を複数の方向、例えば二方向とすることができ、この場合には、ディフューザーを配置した空間の両側に隣接する他の空間にディフューザーを配置せずに、温度成層を形成して、その利用を計ることができる。
【００１５】
また、ディフューザーを配置した空間から離れる方向に複数の他の空間を順次連接して構成し、他の空間の間の隔壁に、ディフューザーに対応した上下位置に連通部を構成することにより、ディフューザーを配置した空間に直接的に隣接していない空間においても温度成層を形成することができる。
【００１６】
【発明の実施の形態】
次に本発明の実施の形態を図１、図２を参照して説明する。
図１は建物の地下のピット内に設置した蓄熱槽の要部を示す縦断面図であり、図２は図１のＡ−Ａ線断面図である。
符号１ａ，１ｂ，１ｃ，１ｄ，１ｅ，１ｆ，…は建物地下に分割構成された空間、即ち、地中梁に囲まれ、スパン毎に分割された空間を示すもので、これらは連なって隣接している。そして中間部の空間１ｂには、上下位置にディフューザー２ｕ，２ｄを配置している。これらのディフューザー２ｕ，２ｄは図１の矢印（実線及び２点鎖線）で示すように、水の吹出し及び吸込み方向を図中左右両方向としている。
【００１７】
そして、中間部の空間１ｂの両側に隣接する各空間１ａ，１ｃとの隔壁３ａ，３ｃの夫々には、ディフューザー２ｕ，２ｄに対応して上下位置に連通部４ｕ，４ｄを構成している。この連通部４ｕ，４ｄは図２に示すように横方向に列設されている。
【００１８】
また、各空間１ａ，１ｃには、空間１ｂから離れる方向に他の空間１ｄ，１ｅが隣接して構成されており、これらの空間１ａ，１ｄ；空間１ｃ，１ｅの夫々の隔壁３ｄ，３ｃにも上記ディフューザー２ｕ，２ｄに対応して上下位置に連通部４ｕ，４ｄを構成している。また空間１ｅには、空間１ｂから離れる方向に、更に他の空間１ｆが隣接して構成されており、隔壁３ｅにも上記ディフューザー２ｕ，２ｄに対応して上下位置に連通部４ｕ，４ｄを構成している。
【００１９】
以上の構成の動作を次に説明する。
まず冷房期において夜間に冷熱を蓄熱する際には、図中２点鎖線の矢印で示すように、空調機の熱交換器（図示省略）により冷却された水を冷水系統５を経て下側のディフューザー２ｄから空間１ｂ内の下部に横方向に吹出すと共に、上側のディフューザー２ｕから空間内の水を横方向から吸い込んで冷水系統５を経て冷却器に還流させることにより、空間１ｂ内に水の密度差により温度成層が良好に形成される。
【００２０】
この際、下側のディフューザー２ｄから横方向、即ち図中左右方向に吹き出された水は隔壁３ａ，３ｂの下側に構成した連通部４ｄを通って隣接する空間１ａ，１ｃの下部にも流入すると共に、空間１ａ，１ｃ内の上部の水が上側に構成した連通部４ｕを通って中間部の空間１ｂ内に流入する。
【００２１】
一方、連通部４ｄを通って空間１ａ，１ｃの下部に水が流入することにより、空間１ａ，１ｃ内の下部の水が、夫々隔壁３ｄ，３ｃの連通部４ｄを通って、空間１ａ，１ｃに隣接する空間１ｄ，１ｅに流入すると共に、空間１ｄ，１ｅの上部の水が夫々隔壁３ｄ，３ｃの連通部４ｕを通って空間１ａ，１ｃの上部に流入する。同様に、空間１ｅの下部の水が隔壁３ｅの連通部４ｄを通って空間１ｆに流入すると共に、空間１ｆの上部の水が連通部４ｕを通って空間１ｃに流入する。
【００２２】
このようにしてディフューザーを配置していない空間１ａ，１ｃ，１ｄ，１ｅ，１ｆ，…においても、空間１ｂ内に配置したディフューザー２ｕ，２ｄにより上側と下側に横方向の流れが生じることにより、温度成層が良好に形成される。従って、これらの他の空間１ａ，１ｃ，１ｄ，１ｅ，１ｆ，…内には温度成層を形成するためのディフューザーを設置する必要がない。
【００２３】
以上のように夜間に蓄熱槽に蓄熱された冷熱を昼間に利用する場合には、上記と逆に、下側のディフューザー２ｄにより空間１ｂ内の下層の水を吸い込んで冷水系統５を経て空調機の熱交換器において冷房に供すると共に、冷熱の利用に供されて温度が上昇した水を上側のディフューザー２ｕから空間１ｂ内の上層に吹き出すことにより、空間１ｂと共に、空間１ａ，１ｃ，１ｄ，１ｅ，１ｆ，…にも、上記と逆の水の流れが形成され、温度成層を崩さずに全ての空間１ａ，１ｂ，１ｃ，１ｄ，１ｅ，１ｆ，…内の冷水を利用することができる。
【００２４】
以上に説明した動作は、冷房期の動作であるが、暖房期に蓄熱槽に温熱を蓄熱して利用する場合には、上記と逆の水の流れにより温度成層の形成と、その利用を計ることができる。
【００２５】
こうして本発明においては、空間１ａ，１ｂ，１ｃ，１ｄ，１ｅ，１ｆ，…から構成される水深が浅い低水位の蓄熱槽においても良好に温度成層の形成と、それによる蓄熱の有効利用を計ることができる。
【００２６】
以上に説明した実施の形態では、ディフューザー２ｕ，２ｄは図１の矢印（実線及び２点鎖線）で示すように、水の吹出し及び吸込み方向を図中左右両方向とし、図中左右両側にディフューザーを配置しない空間１ａ，１ｃ，１ｄ，１ｅ，１ｆ，…を複数（又は図示はしていないが単数）構成しているが、これとは異なり、ディフューザーは、水の吹出し方向と吸込み方向が一方向のみとして構成し、その方向側に一つ、又は複数の空間を順次連接して構成することができる。また、場合によっては、ディフューザーは、水の吹出し方向と吸込み方向を３方向以上として、上記他の空間を二次元に配置することもできる。
【００２７】
【発明の効果】
本発明は以上のとおりであるので、次のような効果がある。
ａ．建物地下の水深の浅い空間において低水位でありながら良好に温度成層を形成するようにしたので、連結型混合水槽と比較して蓄熱槽効率を高くすることができ、従って蓄熱容量を大きくすることができる。
ｂ．単独槽として構成される一般的な温度成層型の蓄熱槽のように躯体を特殊な構造とする必要がないので、コストが増大しない。
ｃ．水深の浅い空間に温度成層が形成されるようにディフューザーを配置した従来の低水位温度成層型蓄熱槽のように、各空間毎にディフューザーを配置する必要がなくなるので、コストを低減することができる。
【図面の簡単な説明】
【図１】  本発明に係る温度成層型蓄熱槽の実施の形態を示す要部の縦断面図である。
【図２】  図１のＡ−Ａ線断面図である。
【図３】  従来の連結型混合水槽の一例を示す縦断面図である。
【図４】  図３のＢ−Ｂ線断面図である。
【図５】  従来の低水位温度成層型蓄熱槽の一例を示す縦断面図である。
【図６】  図５のＣ−Ｃ線断面図である。
【符号の説明】
１ａ，１ｂ，１ｃ，１ｄ，１ｅ，１ｆ，…  空間
２ｕ，２ｄ                              ディフューザー
３ａ，３ｂ，３ｃ，３ｄ，３ｅ，…        隔壁
４ｕ，４ｄ                              連通部
５                                      冷水系統
【図１】
0004721246.tif 000002
【図２】
0004721246.tif 000003
【図３】
0004721246.tif 000004
【図４】
0004721246.tif 000005
【図５】
0004721246.tif 000006
【図６】
0004721246.tif 000007